(57)【要約】【課題】電気光学表示装置用基板に設けられた銅または銅合金からなる配線層を化学機械研磨する工程において、研磨速度の面内均一性を確保することでき、かつ被研磨面の面内平坦性のばらつきを抑制することができる化学機械研磨用水系分散体、および該化学機械研磨用水系分散体を調製するためのキット、ならびに該化学機械研磨用水系分散体を用いた化学機械研磨方法を提供する。【解決手段】本発明に係る化学機械研磨用水系分散体は、（Ａ）アミノ酸、（Ｂ）界面活性剤、（Ｃ）酸化剤、および（Ｄ）砥粒を含み、前記（Ａ）アミノ酸と前記（Ｂ）界面活性剤の質量比（Ａ）：（Ｂ）を１：０．０１〜１：３とすることを特徴とする。【選択図】なし【特許請求の範囲】
【請求項１】
（Ａ）アミノ酸、（Ｂ）界面活性剤、（Ｃ）酸化剤および（Ｄ）砥粒を含み、
前記（Ａ）アミノ酸と前記（Ｂ）界面活性剤の質量比（Ａ）：（Ｂ）は、１：０．０１〜１：３であり、電気光学表示装置用基板に設けられた銅または銅合金からなる配線層を研磨するための化学機械研磨用水系分散体。
【請求項２】
請求項１において、
前記（Ａ）アミノ酸は、グリシンである、化学機械研磨用水系分散体。
【請求項３】
請求項１または２において、
前記（Ｂ）界面活性剤は、スルホン酸塩である、化学機械研磨用水系分散体。
【請求項４】
請求項１ないし３のいずれかにおいて、
前記（Ｂ）界面活性剤は、ドデシルベンゼンスルホン酸カリウムおよびドデシルベンゼンスルホン酸アンモニウムから選択される少なくとも１種である、化学機械研磨用水系分散体。
【請求項５】
請求項１ないし４のいずれかにおいて、
前記（Ｃ）酸化剤は、過酸化水素である、化学機械研磨用水系分散体。
【請求項６】
請求項１ないし５のいずれかにおいて、
前記（Ｄ）砥粒は、有機無機複合粒子、無機粒子および有機粒子から選択される少なくとも１種である、化学機械研磨用水系分散体。
【請求項７】
請求項１ないし６のいずれかにおいて、
前記（Ｄ）砥粒は、シリカである、化学機械研磨用水系分散体。
【請求項８】
請求項１ないし７のいずれかにおいて、
さらに、（Ｅ）アンモニウム塩を含む、化学機械研磨用水系分散体。
【請求項９】
請求項８において、
前記（Ｅ）アンモニウム塩は、硫酸アンモニウムである、化学機械研磨用水系分散体。
【請求項１０】
請求項１ないし９のいずれか１項に記載の化学機械研磨用水系分散体を用いて、電気光学表示装置用基板に設けられた銅または銅合金からなる配線層を研磨する、化学機械研磨方法。
【請求項１１】
第１の組成物および第２の組成物から構成され、電気光学表示装置用基板に設けられた銅または銅合金からなる配線層を研磨するための化学機械研磨用水系分散体を調製するためのキットであって、
前記第１の組成物は、（Ａ）アミノ酸と、（Ｂ）界面活性剤と、（Ｄ）砥粒と、を含み、
前記第２の組成物は、（Ｃ）酸化剤を含む、化学機械研磨用水系分散体調製用キット。
【請求項１２】
請求項１１において、
さらに、前記第１の組成物は、（Ｅ）アンモニウム塩を含む、化学機械研磨用水系分散体調製用キット。
【請求項１３】
第３の組成物および第４の組成物から構成され、電気光学表示装置用基板に設けられた銅または銅合金からなる配線層を研磨するための化学機械研磨用水系分散体を調製するためのキットであって、
前記第３の組成物は、（Ｄ）砥粒を含み、
前記第４の組成物は、（Ａ）アミノ酸を含み、
前記第３の組成物および前記第４の組成物の少なくとも一方は、（Ｂ）界面活性剤を含み、
前記第３の組成物および前記第４の組成物の少なくとも一方は、（Ｃ）酸化剤を含む、化学機械研磨用水系分散体調製用キット。
【請求項１４】
請求項１３において、
さらに、前記第３の組成物および前記第４の組成物の少なくとも一方は、（Ｅ）アンモニウム塩を含む、化学機械研磨用水系分散体調製用キット。
【請求項１５】
第５の組成物、第６の組成物および第７の組成物から構成され、電気光学表示装置用基板に設けられた銅または銅合金からなる配線層を研磨するための化学機械研磨用水系分散体を調製するためのキットであって、
前記第５の組成物は、（Ｃ）酸化剤を含み、
前記第６の組成物は、（Ｄ）砥粒を含み、
前記第７の組成物は、（Ａ）アミノ酸を含み、
前記第５の組成物、前記第６の組成物および前記第７の組成物から選ばれる少なくとも１種は、（Ｂ）界面活性剤を含む、化学機械研磨用水系分散体調製用キット。
【請求項１６】
請求項１５において、
さらに、前記第５の組成物、前記第６の組成物および前記第７の組成物から選ばれる少なくとも１種は、（Ｅ）アンモニウム塩を含む、化学機械研磨用水系分散体調製用キット。
【請求項１７】
請求項１１ないし１６のいずれか１項に記載の化学機械研磨用水系分散体調製用キットの各組成物を混合する工程を含む、化学機械研磨用水系分散体の調製方法。
【発明の詳細な説明】
【技術分野】
【０００１】
本発明は、電気光学表示装置用基板に設けられた配線層を形成する際に好適に用いられる化学機械研磨用水系分散体および該化学機械研磨用水系分散体を調製するためのキット、ならびに該化学機械研磨用水系分散体を用いた化学機械研磨方法に関する。
【背景技術】
【０００２】
近年、電気光学表示装置の技術の進歩により、種々の構造を有する表示装置が提案されている。かかる表示装置としては、例えば、液晶表示装置（ＬＣＤ：Ｌｉｑｕｉｄ  Ｃｒｙｓｔａｌ  Ｄｉｓｐｌａｙ）、プラズマ表示装置（ＰＤＰ：Ｐｌａｓｍａ  Ｄｉｓｐｌａｙ  Ｐａｎｅｌ）、エレクトロルミック表示装置（ＥＣＤ：Ｅｌｅｃｔｒｏｃｈｒｏｍｉｃ  Ｄｉｓｐｌａｙ）、エレクトロルミネッセント表示装置（ＥＬＤ：Ｅｌｅｃｔｒｏ  Ｌｕｍｉｎｅｓｃｅｎｔ  Ｄｉｓｐｌａｙ）、電界放出表示材料装置（ＦＥＤ：Ｆｉｅｌｄ  Ｅｍｉｓｓｉｏｎ  Ｄｉｓｐｌａｙ）等のフラットパネルディスプレイが挙げられる。フラットパネルディスプレイは、通常、液晶などの表示材料を一対の基板の間に挟持し、その表示材料に電圧を印加するという方法で構成される。この際、少なくとも一方の基板には、導電材料からなる電気配線を配列させる必要がある。このようなフラットパネルディスプレイにおいて、ディスプレイの大面積化およびディスプレイの高精細化を図ろうとすると、駆動周波数が高まるとともに、電気配線の抵抗および寄生容量が増大する。その影響を受け、駆動信号の遅延が大きな問題となる。
【０００３】
そこで、上記駆動信号遅延を解決するために、様々な技術開発が行われている。例えば、特許文献１では、従来の配線材料であるアルミニウムや、α−タンタル、モリブデンの代わりに、それらの金属よりも電気抵抗が小さい銅を配線材料に用いて、駆動信号遅延の解決を試みている。
【０００４】
また、ディスプレイのさらなる高精細化を達成するためには、導電配線の超微細化かつ高集積化された配線構造が必須となる。ところが、基板に銅または銅合金などの配線材料を配設する場合、従来のスパッタ法、蒸着法、ＣＶＤ法等の乾式成膜法や無電解めっき法、熱分解法等の湿式成膜法のみで、超微細化かつ高集積化された配線構造を形成するには限界がある。
【０００５】
かかる配線構造を形成し得る技術として、従来、半導体装置製造に主に用いられてきた化学機械研磨（Ｃｈｅｍｉｃａｌ  Ｍｅｃｈａｎｉｃａｌ  Ｐｏｌｉｓｈｉｎｇ）技術、いわゆるダマシン法と称される技術が注目されている。この方法は、基板に形成された溝等に配線材料を埋め込んだ後、化学機械研磨により余剰な配線材料を除去することによって所望の配線を形成するものである。
【特許文献１】特開２００２−３５３２２２号公報
【発明の開示】
【発明が解決しようとする課題】
【０００６】
しかしながら、従来の半導体装置の製造に用いられる基板（以下、「半導体装置用基板」という。）の大きさは最大寸法が約５０〜３００ｍｍであるのに対し、電気光学表示装置の製造に用いられる基板（以下、「電気光学表示装置用基板」という。）は最大寸法が約１５００〜３０００ｍｍ程度と大型になる場合があるため、化学機械研磨技術を用いる際に、その基板の大きさの違いに起因した新たな問題が指摘されている。具体的には、被研磨面における単位時間当たりの研磨量（以下、「研磨速度」ともいう。）の均一性を保てなくなることから、面内平坦性が得られず、品質に影響を与えるという問題がある。
【０００７】
すなわち、化学機械研磨とは、研磨対象基板と研磨用パッドの間に化学機械用水系分散体を満たして、研磨対象基板を研磨する方法である。ところが、研磨対象基板の大きさが大きくなるにつれて、基板面内における化学機械研磨用水系分散体の存在量が不均一となるため、研磨速度の均一性を確保できなくなり、被研磨面の平坦性のばらつきが大きくなる。基板面内の単位面積あたりに同一量の化学機械研磨用水系分散体を供給しようとすると、理論的には、回転中心から外周に向かう距離に従い、化学機械研磨用水系分散体をその距離の２乗（面積相当）に比例し、増加して供給する必要がある。しかし、現実的には、研磨用パッド上に一定の圧力で押し付けられ、かつ、回転している研磨対象基板と研磨用パッドの間に、上記のように化学機械研磨用分散体を供給することは技術的に困難である。また、かかる場合、多量の化学機械研磨用分散体を必要とするため、経済的な観点から好ましくない。
【０００８】
半導体装置用基板の場合、被研磨面の面積は面内の平坦性を損なうほどの大きさではなく、品質管理上の許容範囲内とされ、顕著な問題とはならなかった。しかし、被研磨面の面積が半導体装置用基板よりもはるかに大きな電気光学表示装置用基板を研磨するにあたり、研磨速度の均一性を保てず、面内平坦性が得られないという問題は、電気光学表示装置用基板の品質を損なうため、無視できなくなっている。
【０００９】
本発明は上記課題を解決するものであり、その目的は、電気光学表示装置用基板に設けられた銅または銅合金からなる配線層を化学機械研磨する工程において、研磨速度の面内均一性を確保でき、かつ被研磨面の面内平坦性のばらつきを抑制することができる化学機械研磨用水系分散体、および該化学機械研磨用水系分散体を調製するためのキット、ならびに該化学機械研磨用水系分散体を用いた化学機械研磨方法を提供することにある。
【課題を解決するための手段】
【００１０】
本発明に係る化学機械研磨用水系分散体は、電気光学表示装置用基板に設けられた銅または銅合金からなる配線層を研磨するために用いることができ、（Ａ）アミノ酸、（Ｂ）界面活性剤、（Ｃ）酸化剤および（Ｄ）砥粒を含み、前記（Ａ）アミノ酸と前記（Ｂ）界面活性剤の質量比（Ａ）：（Ｂ）は、１：０．０１〜１：３である。
【００１１】
本発明に係る化学機械研磨用水系分散体において、前記（Ａ）アミノ酸は、グリシンであることができる。
【００１２】
本発明に係る化学機械研磨用水系分散体において、前記（Ｂ）界面活性剤は、スルホン酸塩であることができる。
【００１３】
本発明に係る化学機械研磨用水系分散体において、前記（Ｂ）界面活性剤は、ドデシルベンゼンスルホン酸カリウムおよびドデシルベンゼンスルホン酸アンモニウムから選択される少なくとも１種であることができる。
【００１４】
本発明に係る化学機械研磨用水系分散体において、前記（Ｃ）酸化剤は、過酸化水素であることができる。
【００１５】
本発明に係る化学機械研磨用水系分散体において、前記（Ｄ）砥粒は、有機無機複合粒子、無機粒子および有機粒子から選択される少なくとも１種であることができる。
【００１６】
本発明に係る化学機械研磨用水系分散体において、前記（Ｄ）砥粒は、シリカであることができる。
【００１７】
本発明に係る化学機械研磨用水系分散体において、さらに、（Ｅ）アンモニウム塩を含むことができる。
【００１８】
本発明に係る化学機械研磨用水系分散体において、前記（Ｅ）アンモニウム塩は、硫酸アンモニウムであることができる。
【００１９】
本発明に係る化学機械研磨方法は、上記の化学機械研磨用水系分散体を用いて、電気光学表示装置用基板に設けられた銅または銅合金からなる配線層を研磨することを特徴とする。
【００２０】
本発明に係る化学機械研磨用水系分散体調製用キットは、第１の組成物および第２の組成物から構成され、電気光学表示装置用基板に設けられた銅または銅合金からなる配線層を研磨するための化学機械研磨用水系分散体を調製するためのキットであって、前記第１の組成物は、（Ａ）アミノ酸と、（Ｂ）界面活性剤と、（Ｄ）砥粒と、を含み、前記第２の組成物は、（Ｃ）酸化剤を含む。
【００２１】
本発明に係る化学機械研磨用水系分散体調製用キットにおいて、さらに、前記第１の組成物は、（Ｅ）アンモニウム塩を含むことができる。
【００２２】
本発明に係る化学機械研磨用水系分散体調製用キットは、第３の組成物および第４の組成物から構成され、電気光学表示装置用基板に設けられた銅または銅合金からなる配線層を研磨するための化学機械研磨用水系分散体を調製するためのキットであって、前記第３の組成物は、（Ｄ）砥粒を含み、前記第４の組成物は、（Ａ）アミノ酸を含み、前記第３の組成物および前記第４の組成物の少なくとも一方は、（Ｂ）界面活性剤を含み、前記第３の組成物および前記第４の組成物の少なくとも一方は、（Ｃ）酸化剤を含む。
【００２３】
本発明に係る化学機械研磨用水系分散体調製用キットにおいて、さらに、前記第３の組成物および前記第４の組成物の少なくとも一方は、（Ｅ）アンモニウム塩を含むことができる。
【００２４】
本発明に係る化学機械研磨用水系分散体調製用キットは、第５の組成物、第６の組成物および第７の組成物から構成され、電気光学表示装置用基板に設けられた銅または銅合金からなる配線層を研磨するための化学機械研磨用水系分散体を調製するためのキットであって、前記第５の組成物は、（Ｃ）酸化剤を含み、前記第６の組成物は、（Ｄ）砥粒を含み、前記第７の組成物は、（Ａ）アミノ酸を含み、前記第５の組成物、前記第６の組成物および前記第７の組成物から選ばれる少なくとも１種は、（Ｂ）界面活性剤を含む。
【００２５】
本発明に係る化学機械研磨用水系分散体調製用キットにおいて、さらに、前記第５の組成物、前記第６の組成物および前記第７の組成物から選ばれる少なくとも１種は、（Ｅ）アンモニウム塩を含むことができる。
【００２６】
本発明に係る化学機械研磨用水系分散体の調製方法は、上記の化学機械研磨用水系分散体調製用キットの各組成物を混合する工程を含むことを特徴とする。
【発明の効果】
【００２７】
上記化学機械研磨用水系分散体によれば、被研磨面の最大寸法を約１５００〜３０００ｍｍとする電気光学表示装置用基板に設けられた銅または銅合金からなる配線層の全体を均一かつ平坦に研磨することができる。その結果、電気光学表示装置用基板に超微細化かつ高集積化された配線構造が設けられ、フラットパネルディスプレイの大面積化および高精細化を図ることができる。
【発明を実施するための最良の形態】
【００２８】
以下、本発明に係る実施形態について詳細に説明する。
【００２９】
なお、本発明は、下記の実施形態に限定されるものではなく、本発明の要旨を変更しない範囲において実施される各種の変型例も含む。
【００３０】
１．化学機械研磨用水系分散体
本実施形態に係る化学機械研磨用水系分散体は、（Ａ）アミノ酸、（Ｂ）界面活性剤、（Ｃ）酸化剤、および（Ｄ）砥粒を含み、（Ａ）アミノ酸と（Ｂ）界面活性剤との質量比（Ａ）：（Ｂ）は、１：０．０１〜１：３であることを特徴とする。以下、本実施形態に係る化学機械研磨用水系分散体に含まれる各成分について、詳細に説明する。
【００３１】
１．１  （Ａ）アミノ酸
本実施形態に係る化学機械研磨用水系分散体は、アミノ酸を添加することにより、研磨速度を促進させることができる。アミノ酸は、特に銅または銅合金からなる配線材料に対して、研磨速度を促進させることができる。
【００３２】
アミノ酸としては、配線材料元素からなるイオンまたは配線材料の表面に対し配位能力を有するアミノ酸が好ましい。より好ましくは、配線材料元素からなるイオンまたは配線材料の表面に対しキレート配位能力を有するアミノ酸であり、具体的には、グリシン、アラニン、アスパラギン酸、グルタミン酸、リシン、アルギニン、芳香族アミノ酸、複素環アミノ酸などが挙げられる。研磨速度を促進させる効果が高いことから、グリシンが特に好ましい。
【００３３】
アミノ酸の添加量は、使用時における化学機械研磨用水系分散体の質量に対し、好ましくは０．０５〜５質量％であり、より好ましくは０．１〜４質量％であり、特に好ましくは０．２〜３質量％である。アミノ酸の添加量が０．０５質量％未満であると、十分な研磨速度を得ることができず、研磨工程を終了するのに多大な時間を要する。一方、アミノ酸の添加量が５質量％を超えると、化学的エッチング効果が大きくなり、被研磨面の平坦性を損なうことがある。
【００３４】
１．２  （Ｂ）界面活性剤
本実施形態に係る化学機械研磨用水系分散体は、界面活性剤を添加することにより、化学機械研磨用水系分散体に粘性を付与することができる。すなわち、化学機械研磨用水系分散体の粘性は、界面活性剤の添加量によって制御することができる。そして、該化学機械研磨用水系分散体の粘性を制御すれば、該化学機械研磨用水系分散体の研磨性能が制御される。
【００３５】
界面活性剤としては、アニオン系界面活性剤が好ましく、アルキルベンゼンスルホン酸塩、アルキルナフタレンスルホン酸塩、α−オレフィンスルホン酸塩等のスルホン酸塩がより好ましく、ドデシルベンゼンスルホン酸カリウム、ドデシルベンゼンスルホン酸アンモニウムが特に好ましい。
【００３６】
界面活性剤の添加量は、使用時における化学機械研磨用水系分散体の質量に対し、好ましくは０．００５〜１質量％であり、より好ましくは０．０１〜０．５質量％であり、特に好ましくは０．０２〜０．１５質量％である。界面活性剤の添加量が０．００５質量％未満であると、化学機械研磨用水系分散体の粘性が低すぎるために、研磨パッドへの押し付け圧を効率的かつ均一に被研磨面へ伝達することができず、被研磨面内における該化学機械研磨用水系分散体の研磨性能のばらつきの原因となる。さらに、化学機械研磨用水系分散体が有効に作用する前に研磨対象となる基板と研磨パッドとの間から流出してしまい、特に被研磨面内の外周部における化学機械研磨用水系分散体の存在量ばらつきの原因となる場合がある。一方、界面活性剤の添加量が１質量％を超えると、添加量に対する平坦性改良効果が鈍化し、平坦性改善効果は得られなくなるばかりでなく、コストも高くなってしまう。また、研磨速度が低下したり、該化学機械研磨用水系分散体の粘性が高くなりすぎて研磨摩擦熱が上昇し面内均一性が悪化してしまう。
【００３７】
１．３  質量比（Ａ）：（Ｂ）
本実施形態に係る化学機械研磨用水系分散体に含まれる（Ａ）アミノ酸と（Ｂ）界面活性剤の質量比（Ａ）：（Ｂ）は、１：０．０１〜１：３であり、好ましくは１：０．０２〜１：１であり、より好ましくは１：０．０３〜１：０．３である。質量比（Ｂ）／（Ａ）が、０．０１よりも小さい場合、アミノ酸のエッチング効果が顕著となり平坦性を損なうことがある。一方、３よりも大きい場合、研磨速度を著しく低下させることがある。
【００３８】
１．４  （Ｃ）酸化剤
本実施形態に係る化学機械研磨用水系分散体は、酸化剤を添加することにより、研磨速度をより大きく向上させることができる。
【００３９】
酸化剤としては、過酸化水素、過酢酸、過安息香酸、ｔｅｒｔ−ブチルハイドロパーオキサイド等の有機過酸化物、過マンガン酸カリウムなどの過マンガン酸化合物、重クロム酸カリウム等の重クロム酸化合物、ヨウ素酸カリウムなどのハロゲン酸化合物、硝酸、硝酸鉄等の硝酸化合物、過塩素酸などの過ハロゲン酸化合物、過硫酸アンモニウムなどの過硫酸塩、およびヘテロポリ酸などが挙げられる。これらの酸化剤のうち、分解生成物が無害である過酸化水素等の有機過酸化物または過硫酸アンモニウム等の過硫酸塩がより好ましく、過酸化水素が特に好ましい。
【００４０】
酸化剤の添加量は、使用時における化学機械研磨用水系分散体の質量に対し、好ましくは０．００５〜５質量％であり、より好ましくは０．０１〜３質量％であり、特に好ましくは０．０５〜１質量％である。酸化剤の添加量が０．００５質量％未満になると、化学的エッチングの効果が十分に得られないため、十分な研磨速度を得ることができず、研磨工程を終了するのに多大な時間を要する。一方、酸化剤の添加量が５質量％を超えると、被研磨面が腐食することがある。
【００４１】
１．５  （Ｄ）砥粒
本実施形態に係る化学機械研磨用水系分散体は、砥粒として、無機粒子、有機粒子および有機無機複合粒子から選ばれる少なくとも１種を含むことができる。無機粒子としては、シリカ、アルミナ、チタニア、ジルコニア、セリア等が挙げられる。有機粒子としては、ポリ塩化ビニル、ポリスチレンおよびスチレン系共重合体、ポリアセタール、飽和ポリエステル、ポリアミド、ポリカーボネート、ポリエチレン、ポリプロピレン、ポリ−１−ブテン、ポリ−４−メチル−１−ペンテン等のポリオレフィンおよびオレフィン系共重合体、フェノキシ樹脂、ポリメチルメタクリレート等の（メタ）アクリル樹脂およびアクリル系共重合体などが挙げられる。有機無機複合粒子としては、上記の有機粒子と上記の無機粒子とからなることができる。
【００４２】
本実施形態に係る化学機械研磨用水系分散体は、砥粒として、シリカおよび有機無機複合粒子から選ばれる少なくとも１種であることが好ましい。
【００４３】
シリカとしては、気相中で塩化ケイ素、塩化アルミニウム、塩化チタン等を酸素および水素と反応させるヒュームド法により合成されたシリカ、金属アルコキシドから加水分解縮合して合成するゾルゲル法により合成されたシリカ、精製により不純物を除去した無機コロイド法等により合成されたコロイダルシリカ等が挙げられる。これらのうち、精製により不純物を除去した無機コロイド法などにより合成されたコロイダルシリカが特に好ましい。コロイダルシリカは、被研磨面の平坦性を確保する観点から、平均粒子径１００ｎｍ以下のものを好適に用いることができる。
【００４４】
有機無機複合粒子は、上記の有機粒子および無機粒子が、化学機械研磨工程の際に容易に分離しない程度に一体に形成されていればよく、その種類、構成等は特に限定されない。この有機無機複合粒子としては、例えば、ポリスチレン、ポリメチルメタクリレート等の重合体粒子の存在下、アルコキシシラン、アルミニウムアルコキシド、チタンアルコキシド等を重縮合させ、重合体粒子の少なくとも表面に、ポリシロキサン等が結合されてなるものを使用することができる。なお、生成する重縮合体は、重合体粒子が有する官能基に直接結合されていてもよいし、シランカップリング剤等を介して結合されていてもよい。また、アルコキシシラン等に代えてシリカ粒子、アルミナ粒子等を用いることもできる。これらはポリシロキサン等と絡み合って保持されていてもよいし、それらが有するヒドロキシル基等の官能基により重合体粒子に化学的に結合されていてもよい。
【００４５】
また、上記有機無機複合粒子としては、符号の異なるゼータ電位を有する有機粒子と無機粒子とを含む水分散体において、これら粒子が静電力により結合されてなるものを使用することもできる。有機粒子のゼータ電位は、全ｐＨ域、または低ｐＨ域を除く広範な領域に渡って負であることが多いが、カルボキシル基、スルホン酸基等を有する有機粒子とすることによって、より確実に負のゼータ電位を有する有機粒子とすることができる。また、アミノ基等を有する有機粒子とすることにより、特定のｐＨ域において正のゼータ電位を有する有機粒子とすることもできる。一方、無機粒子のゼータ電位はｐＨ依存性が高く、この電位が０となる等電点を有し、その前後でゼータ電位の符号が逆転する。したがって、特定の有機粒子と無機粒子とを組み合わせ、それらのゼータ電位が逆符号となるｐＨ域で混合することによって、静電力により有機粒子と無機粒子とを一体に複合化することができる。また、混合時、ゼータ電位が同符号であっても、その後、ｐＨを変化させ、ゼータ電位を逆符号とすることによって、有機粒子と無機粒子とを一体とすることもできる。
【００４６】
さらに、上記の有機無機複合粒子としては、静電力により一体に複合化された粒子の存在下、前記のようにアルコキシシラン、アルミニウムアルコキシド、チタンアルコキシド等を重縮合させ、この粒子の少なくとも表面に、さらにポリシロキサン等が結合されて複合化されてなるものを使用することもできる。
【００４７】
このような有機無機複合粒子の平均粒子径は、５０〜５００ｎｍが好ましい。平均粒子径が５０ｎｍ未満であると、十分な研磨速度が発現しないことがある。また、５００ｎｍを超える場合は、粒子の凝集や沈降が生じやすくなる。なお、砥粒の平均粒子径は、レーザー散乱回折型測定機により測定することができ、透過型電子顕微鏡によって個々の粒子を観察し累積粒子径と個数とから算出することもできる。
【００４８】
砥粒の添加量は、使用時における化学機械研磨用水系分散体の質量に対し、好ましくは０．０１〜１０質量％であり、より好ましくは０．０２〜５質量％である。砥粒の添加量が０．０１質量％未満であると、十分な研磨速度が得られないことがあり、研磨工程を終了するのに多大な時間を要する。一方、砥粒の添加量が１０質量％を超えると、コストが高くなるとともに安定した化学機械研磨用水系分散体を得られないことがある。
【００４９】
１．６  （Ｅ）アンモニウム塩
本実施形態に係る化学機械研磨用水系分散体は、必要に応じてアンモニウム塩を添加することにより、さらに研磨速度を向上させることができる。
【００５０】
アンモニウム塩としては、（Ｂ）界面活性剤として使用されるアンモニウム塩以外のアンモニウム塩を用いることができ、例えば、硫酸アンモニウム、塩化アンモニウム、硝酸アンモニウム、および有機酸アンモニウムが挙げられる。有機酸アンモニウムとしては、ギ酸アンモニウム、酢酸アンモニウム、プロピオン酸アンモニウム、酪酸アンモニウム、乳酸アンモニウム、コハク酸アンモニウム、マロン酸アンモニウム、マレイン酸アンモニウム、フマル酸アンモニウム、キナルジン酸アンモニウム、キノリン酸アンモニウムなどが挙げられる。これらのうち、硫酸アンモニウムが特に好ましい。
【００５１】
アンモニウム塩の添加量は、使用時における化学機械研磨用水系分散体の質量に対して、好ましくは０．０５〜５質量％であり、より好ましくは０．１〜３質量％であり、特に好ましくは０．２〜２質量％である。アンモニウム塩の添加量が０．０５質量％未満であると、所期の研磨速度を得ることができない。一方、アンモニウム塩の添加量が５質量％を超えると、被研磨面の平坦性を損なうことがある。
【００５２】
１．７  その他の添加剤
本実施形態に係る化学機械研磨用水系分散体は、上記の成分のほか、必要に応じて各種添加剤を配合することができる。
【００５３】
本実施形態に係る化学機械研磨用水系分散体は、有機酸または無機酸を添加することにより、砥粒の分散安定性を高めることができる。有機酸としては、ギ酸、酢酸、シュウ酸、マロン酸、コハク酸、安息香酸、およびキナルジン酸、キノリン酸等の複素環を有する化合物などが挙げられる。無機酸としては、硝酸、硫酸およびリン酸などが挙げられる。これらのうち、有機酸が特に好ましい。
【００５４】
本実施形態に係る化学機械研磨用水系分散体は、上記の酸またはアルカリを添加することにより、所望のｐＨに調整することができる。アルカリとしては、水酸化ナトリウム、水酸化カリウム、水酸化ルビジウム、水酸化セシウム等のアルカリ金属の水酸化物、またはアンモニアなどが挙げられる。化学機械研磨用水系分散体のｐＨを調整することにより、研磨速度を制御することができる。被研磨面の電気化学的性質や砥粒の分散安定性等の要素を勘案しながら、適宜酸またはアルカリを添加しｐＨを設定することができる。これらのうち、研磨速度を向上させる観点から、アンモニアが特に好ましい。
【００５５】
２．化学機械研磨用水系分散体を調製するためのキット
上記化学機械研磨用水系分散体は、調製後にそのまま研磨用組成物として使用できる状態で供給することができる。あるいは、上記化学機械研磨用水系分散体の各成分を高濃度で含有する研磨用組成物（すなわち濃縮された研磨用組成物）を準備しておき、使用時にこの濃縮された研磨用組成物を希釈して、所望の化学機械研磨用水系分散体を得てもよい。
【００５６】
また、以下のように、上記成分のいずれかを含む複数の組成物（例えば、２つまたは３つの組成物）を調製し、これらを使用時に混合して使用することもできる。この場合、複数の液を混合して化学機械研磨用水系分散体を調製した後、これを化学機械研磨装置に供給してもよいし、複数の液を個別に化学機械研磨装置に供給して定盤上で化学機械研磨用水系分散体を調製してもよい。例えば、以下に示す第１〜第３のキットを用いて、複数の液を混合することにより、上記化学機械研磨用水系分散体を調製することができる。
【００５７】
２．１  第１のキット
第１のキットは、第１の組成物および第２の組成物を混合して、上記化学機械研磨用水系分散体を得るためのキットである。第１のキットにおいて、第１の組成物は、水、（Ａ）アミノ酸、（Ｂ）界面活性剤および（Ｄ）砥粒を含む水系分散体であり、第２の組成物は、水および（Ｃ）酸化剤を含む水溶液である。さらに、第１の組成物には、（Ｅ）アンモニウム塩を添加することもできる。
【００５８】
第１のキットを構成する第１の組成物および第２の組成物を調製する場合、第１の組成物および第２の組成物を混合して得られた水系分散体中に、上述した各成分が上述した濃度範囲内に含まれるように、第１の組成物および第２の組成物に含有される各成分の濃度を決定する必要がある。また、第１の組成物および第２の組成物は、各成分を高濃度で含有していてもよく（すなわち濃縮されたものでもよく）、この場合、使用時に希釈して第１の組成物および第２の組成物を得ることが可能である。第１のキットによれば、第１の組成物と第２の組成物とを分けておくことで、特に第２の組成物に含まれる（Ｃ）酸化剤の保存安定性を向上させることができる。
【００５９】
第１のキットを用いて上記化学機械研磨用水系分散体を調製する場合、第１の組成物および第２の組成物が別個に用意・供給され、かつ研磨時に一体となっていればよく、その混合方法およびタイミングは特に限定されない。例えば、各成分を高濃度で含有する第１の組成物および第２の組成物を調製し、使用時に第１の組成物および第２の組成物を希釈して、これらを混合し、各成分の濃度が上記範囲内にある化学機械研磨用水系分散体を調製する。具体的には、第１の組成物と第２の組成物とを１：１の重量比で混合する場合には、実際に使用する化学機械研磨用水系分散体の各成分の濃度よりも２倍に濃縮された第１の組成物および第２の組成物を調製すればよい。また、２倍以上の濃度の第１の組成物および第２の組成物を調製し、これらを１：１の重量比で混合した後、各成分が上記範囲となるように水で希釈してもよい。
【００６０】
第１のキットを使用する場合、研磨時に上記化学機械研磨用水系分散体が調製されていればよい。例えば、第１の組成物と第２の組成物とを混合して上記化学機械研磨用水系分散体を調製した後、これを化学機械研磨装置に供給してもよいし、第１の組成物と第２の組成物とを別個に化学機械研磨装置に供給し、定盤上で混合してもよい。あるいは、第１の組成物と第２の組成物とを別個に化学機械研磨装置に供給し、装置内でライン混合してもよいし、化学機械研磨装置に混合タンクを設けて、混合タンク内で混合してもよい。また、ライン混合の際には、より均一な水系分散体を得るために、ラインミキサーなどを用いてもよい。
【００６１】
２．２  第２のキット
第２のキットは、第３の組成物および第４の組成物を混合して、上記化学機械研磨用水系分散体を調製するためのキットである。第２のキットにおいて、第３の組成物は、水と（Ｄ）砥粒を含む水系分散体であり、第４の組成物は、水と（Ａ）アミノ酸を含む水溶液である。（Ｂ）界面活性剤は、第３の組成物および第４の組成物の少なくとも一方に含まれる。また、（Ｃ）酸化剤も第３の組成物および第４の組成物の少なくとも一方に含まれる。さらに、（Ｅ）アンモニウム塩を第３の組成物および第４の組成物の少なくとも一方に含めることができる。
【００６２】
第２のキットを構成する第３の組成物および第４の組成物を調製する場合、第３の組成物および第４の組成物を混合して得られた水系分散体中に、上述した各成分が上述した濃度範囲内に含まれるように、第３の組成物および第４の組成物に含有される各成分の濃度を決定する必要がある。また、第３の組成物および第４の組成物は、各成分を高濃度で含有していてもよく（すなわち濃縮されたものでもよく）、この場合、使用時に希釈して第３の組成物および第４の組成物を得ることが可能である。第２のキットによれば、第３の組成物と第４の組成物とを分けておくことで、特に第３の組成物に含まれる（Ｄ）砥粒の保存安定性を向上させることができる。
【００６３】
第２のキットを用いて上記化学機械研磨用水系分散体を調製する場合、第３の組成物および第４の組成物が別個に用意・供給され、かつ研磨時に一体となっていればよく、その混合方法およびタイミングは特に限定されない。例えば、各成分を高濃度で含有する第３の組成物および第４の組成物を調製し、使用時に第３の組成物および第４の組成物を希釈して、これらを混合し、各成分の濃度が上記範囲内にある化学機械研磨用水系分散体を調製する。具体的には、第３の組成物と第４の組成物とを１：１の重量比で混合する場合には、実際に使用する化学機械研磨用水系分散体の各成分の濃度よりも２倍に濃縮された第３の組成物および第４の組成物を調製すればよい。また、２倍以上の濃度の第３の組成物および第４の組成物を調製し、これらを１：１の重量比で混合した後、各成分が上記範囲となるように水で希釈してもよい。
【００６４】
第２のキットを使用する場合、研磨時に上記化学機械研磨用水系分散体が調製されていればよい。例えば、第３の組成物と第４の組成物とを混合して上記化学機械研磨用水系分散体を調製した後、これを化学機械研磨装置に供給してもよいし、第３の組成物と第４の組成物とを別個に化学機械研磨装置に供給し、定盤上で混合してもよい。あるいは、第３の組成物と第４の組成物とを別個に化学機械研磨装置に供給し、装置内でライン混合してもよいし、化学機械研磨装置に混合タンクを設けて、混合タンク内で混合してもよい。また、ライン混合の際には、より均一な水系分散体を得るために、ラインミキサーなどを用いてもよい。
【００６５】
２．３  第３のキット
第３のキットは、第５の組成物、第６の組成物および第７の組成物を混合して、上記化学機械研磨用水系分散体を調製するためのキットである。第３のキットにおいて、第５の組成物は、水と（Ｃ）酸化剤を含む水溶液であり、第６の組成物は、水と（Ｄ）砥粒を含む水系分散体であり、第７の組成物は、水と（Ａ）アミノ酸を含む水溶液である。（Ｂ）界面活性剤は、第５ないし第７の組成物から選ばれる少なくとも１種に含まれる。さらに、（Ｅ）アンモニウム塩を第５ないし第７の組成物から選ばれる少なくとも１種に添加することができる。
【００６６】
第３のキットを構成する第５〜７の組成物を調製する場合、第５〜７の組成物を混合して得られた水系分散体中に、上述した各成分が上述した濃度範囲内に含まれるように、第５〜７の組成物に含有される各成分の濃度を決定する必要がある。また、第５〜７の組成物は、各成分を高濃度で含有していてもよく（すなわち濃縮されたものでもよく）、この場合、使用時に希釈して第５〜７の組成物を得ることが可能である。第３のキットによれば、第５〜７の組成物を分けておくことで、第５の組成物に含まれる（Ｃ）酸化剤および第６の組成物に含まれる（Ｄ）砥粒の保存安定性を向上させることができる。
【００６７】
第３のキットを用いて上記化学機械研磨用水系分散体を調製する場合、第５〜７の組成物が別個に用意・供給され、かつ研磨時に一体となっていればよく、その混合方法およびタイミングは特に限定されない。例えば、各成分を高濃度で含有する第５〜７の組成物を調製し、使用時に第５〜７の組成物を希釈して、これらを混合し、各成分の濃度が上記範囲内にある化学機械研磨用水系分散体を調製する。具体的には、第５〜７の組成物を１：１：１の重量比で混合する場合には、実際に使用する化学機械研磨用水系分散体の各成分の濃度よりも３倍に濃縮された第５〜７の組成物を調製すればよい。また、３倍以上の濃度の第５〜７の組成物を調製し、これらを１：１：１の重量比で混合した後、各成分が上記範囲となるように水で希釈してもよい。
【００６８】
第３のキットを使用する場合、研磨時に上記化学機械研磨用水系分散体が調製されていればよい。例えば、第５〜７の組成物を混合して上記化学機械研磨用水系分散体を調製した後、これを化学機械研磨装置に供給してもよいし、第５〜７の組成物を別個に化学機械研磨装置に供給し、定盤上で混合してもよい。あるいは、第５〜７の組成物を別個に化学機械研磨装置に供給し、装置内でライン混合してもよいし、化学機械研磨装置に混合タンクを設けて、混合タンク内で混合してもよい。また、ライン混合の際には、より均一な水系分散体を得るために、ラインミキサーなどを用いてもよい。
【００６９】
３．化学機械研磨方法および電気光学表示装置用基板の製造方法
化学機械研磨工程では、研磨対象の違いによって、その目的に応じた適切な化学機械研磨用水系分散体を選択することができる。本実施形態に係る電気光学表示装置用基板の製造方法における化学機械研磨工程は、主として配線層を研磨する一段階目の工程と、主としてバリアメタル層を研磨する二段階目の工程とに分けることができる。本実施形態に係る化学機械研磨用水系分散体は、特に銅または銅合金からなる配線層を研磨するための一段階目の工程に適用することができる。
【００７０】
本実施形態に係る化学機械研磨方法および電気光学表示装置用基板の製造方法を、図面を用いて具体的に説明する。図１（Ａ）ないし図１（Ｅ）は、本実施形態に係る化学機械研磨の工程を示す電気光学表示装置用基板の断面図である。
【００７１】
本実施形態に係る電気光学表示装置用基板の製造方法に用いる基板として、例えば、ガラス基板、フィルム基板、またはプラスチック基板を用いることができる。基板の大きさは、例えば、対角線寸法が１５００〜３０００ｍｍのものを用いることができる。該基板は、単層体であってもよいし、基板の上にシリコン基板などの絶縁膜が形成された積層体であってもよい。
【００７２】
（１）まず、図１（Ａ）に示すように、例えば、ガラス基板１０を用意する。ガラス基板１０は、配線を形成するための凹部１２を有している。ガラス基板１０上に配線用凹部１２を形成する方法として、ドライエッチングが用いられる。ドライエッチングとは、加速させたイオンをガラス基板に照射し物理的に加工する方法であり、照射ビームを精密にコントロールすることで微細なパターン加工ができる。ガラス基板１０は、ソーダ石灰ガラス、ほう珪酸ガラス、アルミノ珪酸ガラス、石英ガラスなどの材質からなることができる。
【００７３】
（２）図１（Ｂ）に示すように、ガラス基板１０の表面ならびに配線用凹部１２の底部および内壁面を覆うように、バリアメタル層２０を形成する。バリアメタル層２０は、例えば、タンタルや窒化タンタルなどの材質からなることができる。バリアメタル層２０の成膜方法としては、化学的気相成長法（ＣＶＤ）を適用する。
【００７４】
（３）図１（Ｃ）に示すように、バリアメタル層２０の表面を覆うように配線用金属を堆積させて、金属膜３０を形成する。金属膜３０は、銅または銅合金からなることができる。金属膜３０の成膜方法として、スパッタリング、真空蒸着法等の物理的気相成長法（ＰＶＤ）を適用することができる。
【００７５】
（４）図１（Ｄ）に示すように、配線用凹部１２に埋没された部分以外の余分な金属膜３０を、本実施形態に係る化学機械研磨用水系分散体を用いて化学機械研磨して除去する。さらに、上記の方法をバリアメタル層２０が露出するまで繰り返す。化学機械研磨後、被研磨面に残留する砥粒は除去することが好ましい。この砥粒の除去は通常の洗浄方法によって行うことができる。
【００７６】
（５）最後に、図１（Ｅ）に示すように、配線用凹部１２以外に形成されたバリアメタル層２０ａおよびガラス基板１０の表面を、バリアメタル層用の化学機械研磨用水系分散体を用いて化学機械研磨して除去する。
【００７７】
上記の方法により、高度に微細化され、かつ面内平坦性に優れた電気光学表示装置用基板が得られる。
【００７８】
４．実施例
以下、本発明を実施例により説明するが、本発明はこの実施例により何ら限定されるものではない。
【００７９】
４．１  研磨性能評価に用いた基板の作製
４．１．１  平坦性（エロージョン）の評価に用いた基板の作製
深さ１μｍの凹部により形成されたパターンを備える対角線寸法２０００ｍｍのガラス基板表面に、３０ｎｍの厚さの窒化タンタルからなるバリアメタル膜を成膜する。その後、銅を該バリアメタル膜の上および凹部内にスパッタリングにより２μｍの厚さに堆積した。以下、このようにして得られた基板を「基板ａ」と呼ぶ。
【００８０】
４．１．２  面内均一性の評価に用いた基板の作製
対角線寸法２０００ｍｍのガラス基板表面に、３０ｎｍの厚さの窒化タンタルからなるバリアメタル膜を成膜する。その後、銅を該バリアメタル膜の上にスパッタリングにより２μｍの厚さに堆積した。以下、このようにして得られた基板を「基板ｂ」と呼ぶ。
【００８１】
４．２  無機砥粒または複合粒子からなる砥粒を含む水分散体の調製
４．２．１  無機砥粒を含む水分散体の調製
（ａ）ヒュームド法シリカ粒子を含む水分散体の調製
ヒュームド法シリカ粒子（日本アエロジル株式会社製、商品名「アエロジル＃９０」）２ｋｇを、イオン交換水６．７ｋｇに超音波分散機を用いて分散させ、孔径５μｍのフィルタによって濾過し、ヒュームド法シリカを含む水分散体を調製した。
【００８２】
（ｂ）コロイダルシリカを含む水分散体の調製
容量２０００ｃｍ３のフラスコに、２５質量％濃度のアンモニア水７０ｇ、イオン交換水４０ｇ、エタノール１７５ｇおよびテトラエトキシシラン２１ｇを投入し、１８０ｒｐｍで撹拌しながら６０℃に昇温した。６０℃のまま２時間撹拌した後冷却し、平均粒子径７０ｎｍのコロイダルシリカ／アルコール分散体を得た。次いで、エバポレータにより、８０℃でこの分散体にイオン交換水を添加しながらアルコール分を除去する操作を数回繰り返すことにより分散体中のアルコールを除き、固形分濃度が８質量％の水分散体を調製した。
【００８３】
４．２．２  複合粒子からなる砥粒を含む水分散体の調製
（ｃ）重合体粒子を含む水分散体の調製
メチルメタクリレ−ト９０質量部、メトキシポリエチレングリコールメタクリレート（新中村化学工業株式会社製、商品名「ＮＫエステルＭ−９０Ｇ」、＃４００）５質量部、４−ビニルピリジン５質量部、アゾ系重合開始剤（和光純薬株式会社製、商品名「Ｖ５０」）２質量部、およびイオン交換水４００質量部を、容量２０００ｃｍ３のフラスコに投入し、窒素ガス雰囲気下、撹拌しながら７０℃に昇温し、６時間重合させた。これによりアミノ基の陽イオンおよびポリエチレングリコール鎖を有する官能基を備えた平均粒子径１５０ｎｍのポリメチルメタクリレート系粒子を含む水分散体を得た。なお、重合収率は９５％であった。
【００８４】
（ｄ）複合粒子を含む水分散体の調製
上記「（ｃ）重合体粒子を含む水分散体の調製」において得られたポリメチルメタクリレート系粒子を１０質量％含む水分散体１００質量部を、容量２０００ｃｍ３のフラスコに投入し、メチルトリメトキシシラン１質量部を添加し、４０℃で２時間撹拌した。その後、硝酸によりｐＨを２に調整して水分散体（ｅ）を得た。また、コロイダルシリカ（日産化学株式会社製、商品名「スノーテックスＯ」）を１０質量％含む水分散体のｐＨを水酸化カリウムにより８に調整し、水分散体（ｆ）を得た。水分散体（ｅ）に含まれるポリメチルメタクリレート系粒子のゼータ電位は＋１７ｍＶ、水分散体（ｆ）に含まれるシリカ粒子のゼータ電位は−４０ｍＶであった。その後、水分散体（ｅ）１００質量部に水分散体（ｆ）５０質量部を２時間かけて徐々に添加、混合し、２時間撹拌して、ポリメチルメタクリレート系粒子にシリカ粒子が付着した粒子を含む水分散体を得た。次いで、この水分散体に、ビニルトリエトキシシラン２部を添加し、１時間撹拌した後、テトラエトキシシラン１質量部を添加し、６０℃に昇温し、３時間撹拌を継続した後、冷却することにより、複合粒子を含む水分散体を得た。この複合粒子の平均粒子径は１８０ｎｍであり、ポリメチルメタクリレート系粒子の表面の８０％にシリカ粒子が付着していた。
【００８５】
４．３  化学機械研磨用水系分散体の調製
上記「４．２  無機砥粒または複合粒子からなる砥粒を含む水分散体の調製」において調製された水分散体の所定量を容量１０００ｃｍ３のポリエチレン製の瓶に投入し、これに、表１記載の化合物を表１記載の含有量となるようにそれぞれ添加し、十分に撹拌した。その後、撹拌をしながら表１記載の界面活性剤および酸化剤の水溶液を、界面活性剤、酸化剤が表１記載の含有量となるようにそれぞれ添加した。さらに、十分に撹拌した後、水酸化カリウム水溶液またはアンモニアによりｐＨを調整した後、イオン交換水を加え、孔径５μｍのフィルターで濾過し、実施例１ないし１０および比較例１ないし６の化学機械研磨用水系分散体を得た。
【００８６】
４．４  第１のキットを用いた化学機械研磨用水系分散体の調製
４．４．１  第１の組成物の調製
上記「４．２．１（ｂ）コロイダルシリカを含む水分散体の調製」で調製したコロイダルシリカを含む水分散体を、シリカに換算して１．６質量％に相当する量をポリエチレン製の瓶に入れ、ドデシルベンゼンスルホン酸（商品名「ネオペレックスＧＳ」、花王社製）をアンモニアでｐＨ７に中和したドデシルベンゼンスルホン酸アンモニウム０．１質量％、これにグリシン２．０質量％、硫酸アンモニウム（商品名「硫酸アンモニウム」、和光純薬工業社製）２．０質量％を順次添加し、１５分間撹拌した。次いで、アンモニアおよび水酸化カリウムを適量加えてｐＨを調整し、全構成成分の合計量が１００質量％となるようにイオン交換水を加えた後、孔径５μｍのフィルターで濾過することにより、水系分散体である第１の組成物Ａ１を得た。
【００８７】
４．４．２  第２の組成物の調製
過酸化水素濃度が５質量％となるようにイオン交換水で濃度調節を行ない、第２の組成物Ｂ１を得た。以上の工程により、第１の組成物Ａ１および第２の組成物Ｂ１からなる化学機械研磨用水系分散体を調製するためのキットを作製した。
【００８８】
４．４．３  化学機械研磨用水系分散体Ｘ１の調製
第１の組成物Ａ１、第２の組成物Ｂ１をそれぞれ別のポリエチレン製の容器に入れ栓をし、室温で６ヶ月保管した。この６ヶ月保管後のＡ１；５０質量％およびＢ１；８質量％とを混合し、全構成成分の合計量が１００質量％となるようにイオン交換水を加え、化学機械研磨用水系分散体Ｘ１を調製した。この化学機械研磨用水系分散体Ｘ１は、上記実施例５で調製した化学機械研磨用水系分散体と同一の組成であって、かつ同一のｐＨであった。この化学機械研磨用水系分散体Ｘ１を用いて、下記「４．７  研磨評価試験」にしたがい試験を行った。これを実施例１１とし、その結果を表１に示す。
【００８９】
４．５  第２のキットを用いた化学機械研磨用水系分散体の調製
４．５．１  第３の組成物の調製
上記「４．２．１．（ｂ）コロイダルシリカを含む水分散体の調製」で調製したコロイダルシリカを含む水分散体を、シリカに換算して１．６質量％に相当する量をポリエチレン製の瓶に入れ、ドデシルベンゼンスルホン酸アンモニウム０．１質量％および３５質量％過酸化水素水の過酸化水素に換算して０．８質量％に相当する量を順次添加し、アンモニアでｐＨを調整した後、１５分間撹拌した。次いで、全構成成分の合計量が１００質量％となるようにイオン交換水を加えた後、孔径５μｍのフィルターで濾過することにより、水系分散体である第３の組成物Ａ２を得た。
【００９０】
４．５．２  第４の組成物の調製
ポリエチレン製の瓶に、グリシン２．０質量％、硫酸アンモニウム２．０質量％に相当する量を順次に入れ、全構成成分の合計量が１００質量％となるようにイオン交換水を加えた後、１５分間撹拌し、孔径５μｍのフィルターで濾過することにより、水系分散体である第４の組成物Ｂ２を得た。以上の工程により、第３の組成物Ａ２および第４の組成物Ｂ２からなる化学機械研磨用水系分散体を調製するためのキットを作製した。
【００９１】
４．５．３  化学機械研磨用水系分散体Ｘ２の調製
第３の組成物Ａ２、第４の組成物Ｂ２をそれぞれ別のポリエチレン製の容器に入れ栓をし、室温で６ヶ月保管した。この６ヶ月保管後のＡ２；５０質量％およびＢ２；５０質量％とを混合し、化学機械研磨用水系分散体Ｘ２を調製した。この化学機械研磨用水系分散体Ｘ２は、上記実施例５で調製した化学機械研磨用水系分散体と同一の組成であって、かつ同一のｐＨであった。この化学機械研磨用水系分散体Ｘ２を用いて、下記「４．７  研磨評価試験」にしたがい試験を行った。これを実施例１２とし、その結果を表１に示す。
【００９２】
４．６  第３のキットを用いた化学機械研磨用水系分散体の調製
４．６．１  第５の組成物の調製
過酸化水素濃度が５質量％となるようにイオン交換水で濃度調節を行ない、第５の組成物Ａ３を得た。
【００９３】
４．６．２  第６の組成物の調製
上記「４．２．１．（ｂ）コロイダルシリカを含む水分散体の調製」で調製したコロイダルシリカを含む水分散体を、シリカに換算して１．６質量％に相当する量をポリエチレン製の瓶に入れ、ドデシルベンゼンスルホン酸アンモニウム０．１質量％およびアンモニアを添加した後、１５分間撹拌した。次いで、全構成成分の合計量が１００質量％となるようにイオン交換水を加えた後、孔径５μｍのフィルターで濾過することにより、水系分散体である第６の組成物Ｂ３を得た。
【００９４】
４．６．３  第７の組成物の調製
ポリエチレン製の瓶に、グリシン４．０質量％、硫酸アンモニウム４．０質量％に相当する量を順次に入れ、全構成成分の合計量が１００質量％となるようにイオン交換水を加えた後、１５分間撹拌し、孔径５μｍのフィルターで濾過することにより、水系分散体である第７の組成物Ｃ３を得た。以上の工程により、第５の組成物Ａ３、第６の組成物Ｂ３、および第７の組成物Ｃ３からなる化学機械研磨用水系分散体を調製するためのキットを作製した。
【００９５】
４．６．４  化学機械研磨用水系分散体Ｘ３の調製
第５の組成物Ａ３、第６の組成物Ｂ３、第７の組成物Ｃ３をそれぞれ別のポリエチレン製の容器に入れ栓をし、室温で６ヶ月保管した。この６ヶ月保管後のＡ３；８質量％、Ｂ３；５０質量％およびＣ３；２５質量％とを混合し、全構成成分の合計量が１００質量％となるようにイオン交換水を加え、化学機械研磨用水系分散体Ｘ３を調製した。この化学機械研磨用水系分散体Ｘ３は、上記実施例５で調製した化学機械研磨用水系分散体と同一の組成であって、かつ同一のｐＨであった。この化学機械研磨用水系分散体Ｘ３を用いて、下記「４．７  研磨評価試験」にしたがい試験を行った。これを実施例１３とし、その結果を表１に示す。
【００９６】
４．７  研磨評価試験
４．７．１  銅膜付き基板の研磨
実施例１〜１３および比較例１〜６の化学機械研磨用水系分散体を用いて銅膜付き基板を以下の条件で研磨した。
・研磨装置  ：  表示基板用化学機械研磨機
・研磨パッド  ：溝付きウレタン発泡素材化学機械研磨用パッド
・キャリア荷重  ：２００ｇ／ｃｍ２
・キャリア回転数  ：６０ｒｐｍ
・定盤回転数  ：６５ｐｍ
・研磨剤供給量  ：１５０ｃｍ３／分
・研磨時間  ：  ３０秒
表示基板用化学機械研磨機とは、対角寸法が２０００ｍｍの大きさの表示基板を化学機械研磨できるように、既存の化学機械研磨装置（株式会社荏原製作所製、型式「ＥＰＯ−１１２」）を改造したものである。
【００９７】
研磨速度は下記式（１）により算出した。
【００９８】
研磨速度（ｎｍ／分）
＝（研磨前の各膜の厚さ−研磨後の各膜の厚さ）／研磨時間  …（１）
なお、各膜の厚さは、抵抗率測定器（ＮＰＳ社製、型式「Ｚ−５」）を使用して、直流４針法によりシート抵抗を測定し、この抵抗率と銅の抵抗率から下記式（２）にしたがって算出した。
各膜の厚さ（ｎｍ）
＝シート抵抗値（Ω／ｃｍ２）×銅の抵抗率（Ω／ｃｍ）×１０−７  …（２）
【００９９】
４．７．２  エロージョンの評価
凹部等に配線材料を堆積させた厚さＸ（ｎｍ）の初期の余剰膜を研磨速度Ｖ（ｎｍ／分）で研磨すると、本来Ｘ／Ｖ（分）の時間だけ研磨すれば目的が達成できるはずである。しかし、実際の製造工程では、凹部以外の部分に残る配線材料を除去するため、Ｘ／Ｖ（分）を超える過剰研磨（オーバーポリッシュ）を実施している。このとき、配線部分が過剰に研磨されることにより、凹状の形状となることがある。このような凹状の配線形状は、「エロージョン」と呼ばれ、製造品の歩留まりを低下させてしまう観点から好ましくないため、エロージョンを評価項目として採り上げている。
【０１００】
エロージョンの評価は、表面粗さ計（ＫＬＡ−Ｔｅｎｃｏｒ社製、型式「Ｐ−１０」）を使用し、基板ａの１００μｍ配線を用いて行った。また、エロージョンの評価における研磨時間は、厚さＸ（ｎｍ）の初期の余剰銅膜を「４．７．１  銅膜付き基板の研磨」で得られた研磨速度Ｖ（ｎｍ／分）で除した値（Ｘ／Ｖ）（分）に１．５を乗じた時間（分）とした。
【０１０１】
４．７．３  面内均一性の評価
上記の銅膜が成膜された基板ｂの長手方向に対し両端から５ｍｍの範囲を除き、均等にとった３３点について化学機械研磨前後の膜厚を測定した。この測定結果から、下記式（３）ないし（５）により、研磨速度および面内均一性を計算した。
研磨量  ＝  研磨前の膜厚−研磨後の膜厚  …（３）
研磨速度  ＝  Σ（研磨量）／研磨時間  …（４）
面内均一性  ＝（研磨量の標準偏差÷研磨量の平均値）×１００（％）  …（５）
面内均一性が１０％以下のとき、面内均一性は良好であるといえる。
【０１０２】
４．７．４  評価結果
実施例１ないし１３、比較例１ないし６は、化学機械研磨用水系分散体の成分または濃度を一部変更したものであって、表１または表２に記載した通りである。
【０１０３】
表１は、実施例１ないし１３の成分、濃度および試験結果についてまとめており、表２は、比較例１ないし６の成分、濃度および試験結果についてまとめている。
【０１０４】
実施例１ないし１０の化学機械研磨用水系分散体では、研磨速度は７６０ｎｍ／分以上と十分に高く、１００μｍ配線のエロージョンは１０１ｎｍ以下と小さく、面内均一性は７．２％以下である。以上のことから、実施例１ないし１０の化学機械研磨用水系分散体は、被研磨面の面積が大きな基板（表示基板）に対する化学機械研磨において、面内均一性を確保でき、かつ被研磨面の平坦性のばらつきを抑制できることがわかる。
【０１０５】
特に実施例１０では、研磨速度が２５１０ｎｍ／分と極めて高いにも拘わらず、１００μｍ配線のエロージョンは１０１ｎｍと小さく、しかも面内均一性は４．１％と低く、良好な結果が得られている。
【０１０６】
また、表１に示すように実施例１１ないし１３は、実施例５とほぼ同等の結果が得られている。すなわち、室温で６ヶ月保管したキットを用いて化学機械研磨用水系分散体を調製しても、調製直後とほぼ同等の性能を有することがわかった。この結果より、キットとして保管すれば化学機械研磨用水系分散体に含まれる各成分の保存安定性を確保できることがわかった。
【０１０７】
参考までに、実施例５の化学機械研磨用水系分散体をポリエチレン製の容器に入れ栓をし室温で６ヶ月保管したところ、砥粒の凝集等による肥大化が認められた。これを使用する際には、超音波処理などによって砥粒を再分散させることが必要となり、作業効率が悪くなることがあった。
【０１０８】
比較例１は、（Ａ）アミノ酸が含まれていない例であり、研磨速度が十分でなく高スループット化を実現することができない。
【０１０９】
比較例２は、（Ｂ）界面活性剤が含まれていない例であり、研磨速度は十分であるものの、エロージョンが大きすぎる。
【０１１０】
比較例３は、（Ｃ）酸化剤が含まれていない例であり、研磨速度が十分でなく高スループット化を実現することができない。
【０１１１】
比較例４は、（Ａ）アミノ酸に対する（Ｂ）界面活性剤の質量比が小さすぎる例であり、エロージョンが大きすぎ、かつ面内均一性が悪い。
【０１１２】
比較例５は、（Ａ）アミノ酸に対する（Ｂ）界面活性剤の質量比が大きすぎる例であり、研磨速度が十分でなく高スループット化を実現することができない。
【０１１３】
比較例６は、アミノ酸の代わりにジカルボン酸であるマレイン酸を１％添加した例であり、研磨速度が十分でなく高スループット化を実現することができない。
【０１１４】
以上のように、比較例１ないし６の化学機械研磨用水系分散体では、本願発明の目的を達成することができない。
【０１１５】
【表１】
2008205432.tif 000002
【０１１６】
【表２】
2008205432.tif 000003
【図面の簡単な説明】
【０１１７】
【図１】（Ａ）ないし（Ｅ）は、本実施形態に係る化学機械研磨の工程を示す電気光学表示装置用基板の断面図である。
【符号の説明】
【０１１８】
１０…ガラス基板、１２…配線用凹部、２０・２０ａ…バリアメタル層、３０…金属層
【図１】
2008205432.tif 000004